(57)【要約】    【構成】  放送受信機１０のチューナ１４は、指定されたチャネルを選局する。チューナ１４によって選局されたチャネルの番組は、ＮＴＳＣエンコーダ３２によってモニタ３８に向けて出力される。リモートコントローラ送信回路４２の外部記録開始ボタンは、ＮＴＳＣエンコーダ３２によって出力動作が行われている状態で有効化される。ＣＰＵ４６は、外部記録開始ボタンが操作されたとき、チューナ１４によって選局されているチャネルの番組の記録を、ディジタル記録再生装置５０に要求する。したがって、鑑賞者が所望の番組を鑑賞している途中で外部記録開始ボタンが操作されると、その時点で選局されているチャネルの番組がディジタル記録再生装置５０によって記録される。  【効果】  記録開始キーを操作するだけで鑑賞中の番組の記録要求が発行されるため、簡単な操作で所望の番組の記録を開始することができる。【選択図】  図１
2006128861.tif 000002
【特許請求の範囲】
【請求項１】
番組記録装置と接続される放送受信機において、
指定されたチャネルを選局する選局手段、
前記選局手段によって選局されたチャネルの番組をモニタに向けて出力する第１出力手段、
前記第１出力手段によって出力動作が行われている状態で有効化される記録開始キー、および
前記記録開始キーが操作されたとき前記選局手段によって選局されているチャネルの番組の記録を前記番組記録装置に要求する記録要求手段を備えることを特徴とする、放送受信機。
【請求項２】
前記番組記録装置はチューナを有し、
前記記録開始キーが操作されたとき前記選局手段によって選局されているチャネルを前記番組記録装置に通知する通知手段をさらに備える、請求項１記載の放送受信機。
【請求項３】
前記記録開始キーが操作されたとき前記選局手段によって選局された番組を前記番組記録装置に向けて出力する第２出力手段、
前記記録開始キーが操作されたとき前記チューナが使用中であるか否かを判別する記録動作判別手段、および
前記記録動作判別手段の判別結果に応じて前記通知手段および前記第２出力手段のいずれか一方を起動する起動手段をさらに備える、請求項２記載の放送受信機。
【請求項４】
前記起動手段は、前記判別結果が否定的であるとき前記通知手段を起動し、前記判別結果が肯定的であるとき前記第２出力手段を起動する、請求項３記載の放送受信機。
【請求項５】
前記記録開始キーが操作されたとき前記番組記録装置の電源が投入状態であるか否かを判別する電源判別手段、および
前記電源判別手段の判別結果が否定的であるとき電源の投入を前記番組記録装置に要求する電源投入要求手段をさらに備える、請求項１ないし４のいずれかに記載の放送受信機。
【請求項６】
前記記録開始キーが操作されたときに前記第１出力手段によって出力されている番組の終了時刻を検出する検出手段、および
現在時刻が前記検出手段によって検出された終了時刻に達したとき記録の停止を前記番組記録装置に要求する記録停止要求手段をさらに備える、請求項１ないし５のいずれかに記載の放送受信機。
【発明の詳細な説明】
【技術分野】
【０００１】
この発明は、放送受信機に関し、特にたとえば、放送番組を受信する機能および記録再生装置を制御する機能を有する、放送受信機に関する。
【背景技術】
【０００２】
従来の放送受信機や記録再生装置では、手元に種々の操作が可能なリモートコントロール機能が備えられており、放送受信機や記録再生装置をより容易に操作できる。
【０００３】
一方、鑑賞中の番組を記録したい場合、鑑賞者が記録再生装置のリモートコントローラによって、または直接、記録再生装置の電源を入れて、チャネル設定を行った後、記録開始の操作をする。鑑賞者が番組鑑賞中に用件が発生したために離席しなければならないとき、鑑賞中の番組を記録することによって、あとで不在期間中の番組を鑑賞することができる。
【発明の開示】
【発明が解決しようとする課題】
【０００４】
しかし、従来技術では、番組記録の一連の動作は手間がかかる。このため、放送番組の鑑賞中に来客や電話着信等の対応が急に発生した場合、来客や電話の相手を待たせるおそれがある。
【０００５】
それゆえに、この発明の主たる目的は、記録操作の手間を省くことができる、放送受信機を提供することである。
【課題を解決するための手段】
【０００６】
請求項１の発明に従う放送受信機は、番組記録装置と接続される放送受信機において、指定されたチャネルを選局する選局手段、選局手段によって選局されたチャネルの番組をモニタに向けて出力する第１出力手段、第１出力手段によって出力動作が行われている状態で有効化される記録開始キー、および記録開始キーが操作されたとき選局手段によって選局されているチャネルの番組の記録を番組記録装置に要求する記録要求手段を備えることを特徴とする。
【０００７】
選局手段は、指定されたチャネルを選局する。選局手段によって選局されたチャネルの番組は、第１出力手段によってモニタに向けて出力される。記録開始キーは、第１出力手段によって出力動作が行われている状態で有効化される。記録要求手段は、記録開始キーが操作されたとき、選局手段によって選局されているチャネルの番組の記録を、チューナを備える番組記録装置に要求する。
【０００８】
したがって、鑑賞者が所望の番組を鑑賞している途中で記録開始キーが操作されると、その時点で選局されているチャネルの番組が番組記録装置によって記録される。記録開始キーを操作するだけで鑑賞中の番組の記録要求が発行されるため、簡単な操作で所望の番組の記録を開始することができる。
【０００９】
請求項２の発明に従う放送受信機は、請求項１に従属し、番組記録装置はチューナを有し、記録開始キーが操作されたとき選局手段によって選局されているチャネルを番組記録装置に通知する通知手段をさらに備える。番組記録装置は、チャネルの通知によって、放送受信機が選局しているチャネルと同じチャネルを選局する。
【００１０】
請求項３の発明に従う放送受信機は、請求項２に従属し、記録開始キーが操作されたとき選局手段によって選局された番組を番組記録装置に向けて出力する第２出力手段、記録開始キーが操作されたときチューナが使用中であるか否かを判別する記録動作判別手段、および記録動作判別手段の判別結果に応じて通知手段および第２出力手段のいずれか一方を起動する起動手段をさらに備える。第２出力手段を設け、チューナの使用状態に応じて第２出力手段を起動することによって、番組記録装置の使用状況の変化に柔軟に対応できる。
【００１１】
請求項４の発明に従う放送受信機は、請求項３に従属し、起動手段は、判別結果が否定的であるとき通知手段を起動し、判別結果が肯定的であるとき第２出力手段を起動する。これによって、いわゆる２番組同時録画が実現できる。
【００１２】
請求項５の発明に従う放送受信機は、請求項１ないし４のいずれかに従属し、記録開始キーが操作されたとき番組記録装置の電源が投入状態であるか否かを判別する電源判別手段、および電源判別手段の判別結果が否定的であるとき電源の投入を番組記録装置に要求する電源投入要求手段をさらに備える。これによって、操作性が向上する。
【００１３】
請求項６の発明に従う放送受信機は、請求項１ないし５のいずれかに従属し、記録開始キーが操作されたときに第１出力手段によって出力されている番組の終了時刻を検出する検出手段、および現在時刻が検出手段によって検出された終了時刻に達したとき記録の停止を番組記録装置に要求する記録停止要求手段をさらに備える。これによって、必要かつ十分な時間の記録が可能となる。
【発明の効果】
【００１４】
この発明によれば、放送受信機のリモートコントローラで記録再生装置の制御をする。したがって、放送番組の鑑賞中に来客や電話着信等の対応が急に発生した場合、記録操作の一連の手間が省けて来客を待たせることはなくなる。
【００１５】
この発明の上述の目的，その他の目的，特徴および利点は、図面を参照して行う以下の実施例の詳細な説明から一層明らかとなろう。
【発明を実施するための最良の形態】
【００１６】
図１を参照して、この実施例の放送受信機１０は、ディジタル記録再生装置５０に接続されている。放送受信機１０は、ディジタル放送受信用のアンテナ１２を含み、このアンテナ１２によって受信されたディジタル放送信号がチューナ１４に与えられる。チューナ１４は、所望のトランスポンダから出力された放送データを選択する。選択された放送データは、復調器１６で復調されることによって、複数のトランスポートパケットからなるトランスポートストリームとなる。デマルチプレクサ（ＤＥＭＵＸ）１８は、出力されたトランスポートストリームから音声パケットおよび映像パケット、ＥＰＧ(Electronic Program Guide)を抽出する。番組情報取得回路２０は、抽出されたＥＰＧを取得する。ＥＰＧは、番組開始時刻および番組終了時刻も含む。ＡＶセレクタ２４は、抽出された音声パケットおよび映像パケットを音声デコーダ２６および映像デコーダ２８にそれぞれ与える。音声デコーダ２６は、与えられた音声パケットをデコードして音声データを生成する。生成された音声データは、Ｄ／Ａ変換機３０によってアナログ信号である音声信号に変換され、変換された音声信号は切換スイッチ３４を通してスピーカ３６に与えられる。この結果、所望のチャネルで放送される番組の音声がスピーカ３６から出力される。映像デコーダ２８は、与えられた映像パケットをデコードして映像データを生成する。生成された映像データは、ＮＴＳＣエンコーダ３２によってコンポジット映像信号に変換され、変換されたコンポジット映像信号は切換スイッチ３４を通してモニタ３８に与えられる。この結果、所望のチャネルで放送される番組の映像が、モニタ３８の画面に表示される。切換スイッチ３４は、放送受信機１０の映像音声信号と外部に接続されているディジタル記録再生装置５０の映像音声信号を切換えるスイッチである。
【００１７】
リモートコントローラ送信回路４２は、本体を遠隔操作するための信号をリモートコントローラ受信回路４０に送信する。リモートコントローラ受信回路４０は、リモートコントローラ送信回路４２からの信号を受信し、復調する。ディジタルインタフェース２２は、ディジタル記録再生装置５０に対して制御信号を送信し、または音声パケットおよび映像パケットの双方向通信をする。不揮発性メモリ４４は、接続されているディジタル記録再生装置５０の機器情報を保存する。ＣＰＵ４６は、放送受信機１０の制御を行い、ＲＯＭ４６ａを含む。
【００１８】
ディジタル記録再生装置５０は、放送受信機１０に接続されていて、各回路の機能は対応する放送受信機１０の機能と同じである。ディジタル記録再生回路６２は、ＤＥＭＵＸ５８から抽出された音声パケットおよび映像パケットを保存し、保存したパケットを再生する。Ｄ／Ａ変換機７２から出力される音声信号およびＮＴＳＣエンコーダ７４から出力される映像信号は、放送受信機１０の切換スイッチ３４を通してスピーカ３６およびモニタ３８にそれぞれ与えられる。
【００１９】
放送受信機１０とディジタル記録再生装置５０がディジタルインタフェース２２、６４を介して接続されると、放送受信機１０はディジタル記録再生装置５０の機器情報を認識する。図２を参照して、認識された機器情報は不揮発性メモリ４４に保存される。図２によれば、ユニットにはＨＤＤ１、サブユニットには記録再生回路とチューナという機器情報が認識されている。
【００２０】
今ここで来客があり視聴を中断せざるを得なくなった場合、リモートコントローラ送信回路４２に設けてある外部記録開始ボタン（図示せず）を押す。リモートコントローラ送信回路４２からの信号はリモートコントローラ受信回路４０で受信される。図３を参照して、ＣＰＵ４６は、ＲＯＭ４６ａに保存されている制御コードの中から不揮発性メモリ４４に保存されている機器情報に対応する制御コードを選択する。放送受信機１０とディジタル記録再生装置５０の接続においては、ＣＰＵ４６は、選択された制御コードに基づいてディジタルインタフェース２２、６４を介してディジタル記録再生装置５０に対して制御命令をする。
【００２１】
ディジタル記録再生装置５０の電源がオフであるとき、電源オン、通常記録モード（記録開始）、チャネル番号選局の制御コマンドが送信され、番組が終了すると記録停止コマンドが送信される。ディジタル記録再生装置５０のＣＰＵ８０は、放送受信機１０から通常記録モードの制御命令を受けると、記録再生回路６２に対してＤＥＭＵＸ５８から抽出される音声パケットおよび映像パケットを記録することを要求する。
【００２２】
ディジタル記録再生装置５０が番組の記録中であるとき、二重記録モード（記録開始）、番組送信開始の制御コマンドが送信され、番組が終了すると記録停止、番組送信停止コマンドが送信される。ディジタル記録再生装置５０は二重記録モードの通知を受けたとき、チューナ５４から受信される番組を記録再生回路６２に記録している最中である。したがって、放送受信機１０は、チューナ１４から受信される番組をディジタルインタフェース２２、６４を介して、ディジタル記録再生装置５０にリアルタイムで送信する。ディジタル記録再生装置５０は、送信される音声パケットおよび映像パケットを記録再生回路６２に記録する。こうして、ディジタル記録再生装置５０は、チューナ５４で受信される番組の記録をしながら、放送受信機１０が要求する番組の記録をすることができる。なお、この場合の記録再生回路６２はハードディスクである。
【００２３】
放送受信機１０のＣＰＵ４６は、図４、５に示す制御プログラムを実行する。これらの制御プログラムはＣＰＵ４６に含まれるＲＯＭ４６ａに記憶されている。ディジタル記録再生装置５０のＣＰＵ８０は、図６に示す制御プログラムを実行する。これらの制御プログラムはＣＰＵ８０に含まれるＲＯＭに記憶されている。
【００２４】
図４を参照して、ステップＳ１ではリモートコントローラ送信回路４２の外部記録開始ボタンが押されたか否か判別し、ＹＥＳであればステップＳ３に進む。ステップＳ３では、ディジタル記録再生装置５０の電源がＯＮ状態であるか否か判別し、ＮＯであればステップＳ５で電源ＯＮコマンドを送信する。ステップＳ７では、ディジタル記録再生装置５０に対して通常記録モードを通知する。通常記録モードは、チューナ１４で受信される番組と同一の番組をチューナ５４で受信し、記録再生回路６２に記録する。ステップＳ９では、チューナ１４からチャネル番号を取得し、ステップＳ１１では、ディジタル記録再生装置５０に対してディジタルインタフェース２２、６４を介して取得したチャネル番号を送信する。ステップＳ１３では、ディジタル記録再生装置５０がチューナ５４で受信した番組を記録中か否か判別し、ＹＥＳであればステップＳ１５に進む。ステップＳ１５では、ディジタル記録再生装置５０に対して二重記録モードを通知する。二重記録モードは、ディジタル記録再生装置５０が記録中であるとき、チューナ１４で受信される番組をディジタル記録再生装置に転送し、記録再生回路６２で記録する。ステップＳ１７では、ディジタル記録再生装置５０に対してチューナ１４で受信している番組の送信を開始する。
【００２５】
図５を参照して、ステップＳ１９では、番組取得回路２０によってＥＰＧを取得する。ＥＰＧには、番組終了時刻が含まれる。ステップＳ２０では、現在時刻を取得する。ステップＳ２１では、取得したＥＰＧに基づいて番組が終了したか否か判別し、ＹＥＳであればステップＳ２３でディジタル記録再生装置５０に対して記録停止コマンドを送信する。ステップＳ２５では、二重記録モードであるか否か判別し、ＹＥＳであればステップＳ２７でディジタル記録再生装置５０に対しての番組送信を終了する。ステップＳ２９では、記録停止コマンドがあるか否か判別し、ＹＥＳであればステップＳ２３に進む。
【００２６】
図６を参照して、ステップＳ３１では放送受信機１０から通常記録モードの通知があるか否か判別し、ＹＥＳであればステップＳ３３に進む。ステップＳ３３では、放送受信機１０が受信中のチャネル番号を受信したか否か判別し、ＹＥＳであればステップＳ３５に進む。ステップＳ３５では、ディジタル記録再生装置５０のチューナ５４が受信しているチャネル番号と放送受信機１０のチューナ１４が受信しているチャネル番号を比較し、ステップＳ３７で比較したチャネル番号が同一であるか否か判別する。判別結果がＮＯであれば、ステップＳ３９で現在チューナ５４から受信しているチャネル番号を退避させる。ステップＳ４１では、放送受信機１０のチューナ１４が受信しているチャネル番号を選局する。ステップＳ４３ではフラグセットし、ステップＳ４５ではＤＥＭＵＸ５８から出力される番組の記録を要求する。ステップＳ４７では、放送受信機１０から二重記録モードの通知があるか否か判別し、ＹＥＳであればステップＳ４９でディジタルインタフェース６４から出力される番組の記録を要求する。
【００２７】
ステップＳ５１では、放送受信機１０から記録停止コマンドを受信したか否か判別し、ＹＥＳであればステップＳ５３で記録再生回路６２に対して記録停止を要求する。ステップＳ５５では、フラグセットされているか否か判別し、ＹＥＳであればステップＳ５７で元のチャネル番号を復帰する。このように、放送受信機１０が要求するチャネル番号に選局されたとしても、記録停止後に元のチャネル番号に再選局できる。
【００２８】
以上の説明から分かるように、放送受信機１０のチューナ１４は、指定されたチャネルを選局する。チューナ１４によって選局されたチャネルの番組は、ＮＴＳＣエンコーダ３２によってモニタ３８に向けて出力される。リモートコントローラ送信回路４２の外部記録開始ボタンは、ＮＴＳＣエンコーダ３２によって出力動作が行われている状態で有効化される。ＣＰＵ４６は、外部記録開始ボタンが操作されたとき、チューナ１４によって選局されているチャネルの番組の記録を、ディジタル記録再生装置５０に要求する(S7, S15)。したがって、鑑賞者が所望の番組を鑑賞している途中で外部記録開始ボタンが操作されると、その時点で選局されているチャネルの番組がディジタル記録再生装置５０によって記録される。外部記録開始ボタンを操作するだけで鑑賞中の番組の記録要求が発行されるため、簡単な操作で所望の番組の記録を開始することができる。これによって、放送番組の鑑賞中に来客や電話着信等の対応が急に発生した場合、記録操作の一連の手間が省けて来客を待たせることはなくなる。
【００２９】
図２を参照して、他の実施例の放送受信機９０は、アナログ記録再生装置１００に接続されている。放送受信機９０の各回路の機能は、対応する放送受信機１０の機能と同じである。リモートコントローラ送信回路９２は、リモートコントローラ発光回路９４が接続され、アナログ記録再生装置１００のリモートコントローラ受信回路１１４に対して制御信号が送信される。
【００３０】
アナログ記録再生装置１００は、アナログ放送受信用のアンテナ１０２を含み、このアンテナ１０２によって受信されたアナログ放送信号がチューナ１０４に与えられる。チューナ１０４は、任意のアナログ放送信号を受信する。音声処理回路１０６は、アナログの音声信号を生成する。映像処理回路１０８は、アナログの映像信号を生成する。記録再生回路１１０は、音声信号および映像信号を記録し、記録した音声信号および映像信号を再生する。映像音声出力回路１１２は、再生された音声信号および映像信号を出力し、放送受信機９０の切換スイッチ３４を通して、スピーカ３６およびモニタ３８にそれぞれ与えられる。リモートコントローラ送信回路１１６は、本体を遠隔操作するための信号をリモートコントローラ受信回路１１４に送信する。リモートコントローラ受信回路１１４は、リモートコントローラ送信回路１１６からの信号またはリモートコントローラ発光回路９４からの信号を受信し、復調する。ＣＰＵ１１８は、アナログ記録再生装置１００の制御を行う。
【００３１】
放送受信機９０とアナログ記録再生装置１００の接続においては、ＣＰＵ４６は、選択された制御コードに基づいて、アナログ記録再生装置１００に対して制御命令をする。制御信号は、リモートコントローラ送信回路９２に接続されたリモートコントローラ発光回路９４からアナログ記録再生装置１００のリモートコントローラ受信回路１１４に対して送信される。
【００３２】
このように放送受信機のリモートコントローラの外部記録開始ボタンを押すことによって、記録再生装置の番組記録を速やかに開始できる。ただし、アナログ記録再生装置１００がチューナ１０４から受信される番組を記録しているときに外部記録開始ボタンを押した場合、放送受信機９０の制御コマンドは無効となる。
【図面の簡単な説明】
【００３３】
【図１】この発明の一実施例を示すブロック図である。
【図２】この発明の一実施例を示すブロック図である。
【図３】識別された記録再生装置の機器情報の一例を示す図解図である。
【図４】選択された記録再生装置の制御コードの一例を示す図解図である。
【図５】図１実施例の動作の一部を示すフロー図である。
【図６】図１実施例の動作の他の一部を示すフロー図である。
【図７】図１実施例の動作のその他の一部を示すフロー図である。
【符号の説明】
【００３４】
１０  …  放送受信機
１４  …  チューナ
１８  …  デマルチプレクサ
２０  …  番組情報取得回路
２２  …  ディジタルインタフェース
２６  …  音声デコーダ
３０  …  Ｄ／Ａ変換機
２８  …  映像デコーダ
３２  …  ＮＴＳＣエンコーダ
３６  …  スピーカ
３８  …  モニタ
４０  …  リモートコントローラ受信回路
４２  …  リモートコントローラ送信回路
４４  …  不揮発性メモリ
４６  …  ＣＰＵ
５０  …  ディジタル記録再生装置
６２  …  記録再生回路
９４  …  リモートコントローラ発光回路
１００  …  アナログ記録再生装置
【図１】
2006128861.tif 000003
【図２】
2006128861.tif 000004
【図３】
2006128861.tif 000005
【図４】
2006128861.tif 000006
【図５】
2006128861.tif 000007
【図６】
2006128861.tif 000008
【図７】
2006128861.tif 000009